(57)【要約】【課題】画像形成処理の利用制限を時間並びに機能に応じて制限することができる画像形成装置及び画像形成制御プログラムを提供する。【解決手段】カレンダー機能を含めた時間を監視するタイマ１５と、月・週・日単位における開始／終了時間を設定すると共にその設定期間中における画像形成装置本体の稼動をポート単位で設定するパネルスイッチ機能付きの表示画面１２と、タイマ１５で監視する時間が設定時間となった際に設定されたポートを開閉制御するポート制御部１６とを備えている。【選択図】      図３
2008131543.tif 000002
【特許請求の範囲】
【請求項１】
時間を監視するタイマ手段と、開始／終了時間を設定するタイマ設定手段と、該タイマ設定手段による設定期間中における前記画像形成装置本体の稼動をポート単位で設定するポート開閉設定手段と、前記タイマ手段による監視時間が前記タイマ設定手段による開始／終了時間となった際に前記ポート開閉設定手段で設定されたポートを開閉制御するポート制御手段と、を備えていることを特徴とする画像形成装置。
【請求項２】
カレンダー機能を含めた時間を監視するタイマ手段と、月・週・日単位における開始／終了時間を設定するタイマ設定手段と、該タイマ設定手段による設定期間中における前記画像形成装置本体の稼動をポート単位で設定するポート開閉設定手段と、前記タイマ手段による監視時間が前記タイマ設定手段による開始／終了時間となった際に前記ポート開閉設定手段で設定されたポートを開閉制御するポート制御手段と、を備えていることを特徴とする画像形成装置。
【請求項３】
前記ポート開閉設定手段は、少なくとも画像形成処理手段を用いた画像形成処理の印刷出力に関するポートを閉塞することを特徴とする請求項１又は請求項２に記載の画像形成装置。
【請求項４】
前記画像形成処理手段を用いた画像形成処理のための画像データを記憶する記憶部を備え、該記憶部は前記ポート制御手段によってポートが閉塞されている間は前記画像データを蓄積していることを特徴とする請求項３に記載の画像形成装置。
【請求項５】
カレンダー機能を含めた時間を監視する時間監視ステップと、月・週・日単位における開始／終了時間を設定するタイマ設定ステップと、該タイマ設定ステップによる設定期間中における画像形成装置本体の稼動をポート単位で設定するポート開閉設定ステップと、前記時間監視ステップで監視する時間が前記タイマ設定ステップで設定された設定時間となった際に前記ポート開閉設定ステップで設定されたポートを開閉制御するポート制御ステップとによって画像形成装置本体の稼動を制御することを特徴とする画像形成制御プログラム。
【発明の詳細な説明】
【技術分野】
【０００１】
本発明は、利用時間、少なくとも画像形成処理に関する利用時間を制御することが可能な画像形成装置及び画像形成制御プログラムに関する。
【背景技術】
【０００２】
従来、複写機やプリンタなどの画像形成装置には、その利用にあたって、利用者の識別機能が無く、電源スイッチを投入すれば誰でも画像形成処理等を行うことができるものが周知である。
【０００３】
一方、画像形成装置を使用する際に、この画像形成装置のタッチスイッチ形式の表示パネルやテンキー等を操作部を利用して予め設定された暗証番号を入力したり、ＩＤカード（コントロールカード）をセットするといったユーザを識別する手段を備え、正しく認識が行われない限り、画像形成処理を実行できないという保護機能を持った画像形成装置も周知である。
【０００４】
ところで、このような利用制限は、画像形成装置を職場等の課金制を導入していない環境下で設置した場合、例え、許可されている利用者が私用目的で利用したとしても、その制限は実質的に行われていないのが実情である。特に、設置されている画像形成装置がカラー複写機である場合など１枚あたりのコストが高くつくような場合や大量枚数の複写機能等を利用した場合、その損害は大きくなる。
【０００５】
この際、認証システムを有する画像形成装置、例えば、暗証番号による認証が行える装置では、暗証番号を知らない者に私用目的で使用されることは避けられる。
【０００６】
しかしながら、ユーザ毎に使用量を把握したり制限をかけたりする必要がない場合、すなわち、昼間など利用者を限定しなくてもよい時間帯においても使用の度に数桁の暗証番号を入力しなければならず、操作が煩雑になり、急ぎで使用したい場合など、煩わしく感じることもある。
【０００７】
また、認証システムとして、暗号番号に替えてＩＤカードを用いるものは、そのＩＤカードを所有する人以外の使用を制限することができ、ＩＤカードを挿入することで使用が可能となるので暗証番号を入力する操作に比べて煩わしさは軽減されるものの、ＩＤカードシステムを標準又はオプションで装備する必要があり、画像形成装置のコストが高騰するという問題がある。
【０００８】
そこで、暗証番号による認証システムを備えた画像形成装置であって、現在時刻によって、利用者が多い時間帯は利用制限を解除し、利用者が少ない場合にのみ暗証番号の入力を強制することで、夜間等の人の少ないとき、即ち、私用目的で利用され易い時間帯での利用制限を行う画像形成装置が提案されている（例えば、特許文献１参照。）。
【特許文献１】特開２００１−００５３５６号公報
【発明の開示】
【発明が解決しようとする課題】
【０００９】
ところが、上記の如く構成された画像形成装置にあっては、夜間等の利用制限時間帯であっても、利用者の認証さえできれば画像形成処理を実行することができるため、私用目的の利用を阻止することはできないのが実情であった。
【００１０】
また、利用制限は画像形成装置全体での制限であるため、複合機等の複数の機能を備えた画像形成装置では、利用を停止しなくても良い機能まで利用制限を課してしまうという問題が生じていた。
【００１１】
さらに、利用制限は時間帯でのみ管理しているため、休日や休業日等の利用制限時間帯と同様の環境にある日中等に利用制限がなされていない場合や、所謂、サマータームの導入等のように長期間にわたって利用制限時間が変化する場合等への対応が不十分であるという問題が生じていた。
【００１２】
そこで、本発明は、上記事情を考慮し、画像形成処理の利用制限を時間並びに機能に応じて制限することができる画像形成装置及び画像形成制御プログラムを提供することを目的とする。
【００１３】
また、利用制限を一定の時間帯以外の期間に応じて設定することができる画像形成装置及び画像形成制御プログラムを提供することを目的とする。
【課題を解決するための手段】
【００１４】
本発明の画像形成装置は、時間を監視するタイマ手段と、開始／終了時間を設定するタイマ設定手段と、該タイマ設定手段による設定期間中における前記画像形成装置本体の稼動をポート単位で設定するポート開閉設定手段と、前記タイマ手段による監視時間が前記タイマ設定手段による開始／終了時間となった際に前記ポート開閉設定手段で設定されたポートを開閉制御するポート制御手段と、を備えていることを特徴とする。
【００１５】
また、本発明の画像形成装置は、カレンダー機能を含めた時間を監視するタイマ手段と、月・週・日単位における開始／終了時間を設定するタイマ設定手段と、該タイマ設定手段による設定期間中における前記画像形成装置本体の稼動をポート単位で設定するポート開閉設定手段と、前記タイマ手段による監視時間が前記タイマ設定手段による開始／終了時間となった際に前記ポート開閉設定手段で設定されたポートを開閉制御するポート制御手段と、を備えていることを特徴とする。
【００１６】
この際、前記ポート開閉設定手段は、少なくとも画像形成処理手段を用いた画像形成処理の印刷出力に関するポートを閉塞することが好ましい。
【００１７】
また、前記画像形成処理手段を用いた画像形成処理のための画像データを記憶する記憶部を備え、該記憶部は前記ポート制御手段によってポートが閉塞されている間は前記画像データを蓄積していることが好ましい。
【００１８】
さらに、本発明の画像形成制御プログラムは、カレンダー機能を含めた時間を監視する時間監視ステップと、月・週・日単位における開始／終了時間を設定するタイマ設定ステップと、該タイマ設定ステップによる設定期間中における画像形成装置本体の稼動をポート単位で設定するポート開閉設定ステップと、前記時間監視ステップで監視する時間が前記タイマ設定ステップで設定された設定時間となった際に前記ポート開閉設定ステップで設定されたポートを開閉制御するポート制御ステップとによって画像形成装置本体の稼動を制御することを特徴とする。
【００１９】
このような構成によれば、画像形成装置又は画像形成処理システムの利用制限を、時間並びにポート単位で制御することができる。
【発明の効果】
【００２０】
本発明の画像形成装置及び画像形成制御プログラムは、画像形成処理の利用制限を時間並びに機能に応じて制限することができる。
【発明を実施するための最良の形態】
【００２１】
次に、本発明の一実施形態に係る画像形成装置及び画像形成制御プログラムについて、図面を参照して説明する。
【００２２】
図１は本発明の一実施形態に係る画像形成制御プログラムのシステム構成例の説明図、図２は本発明の一実施形態に係る画像形成制御プログラムのシステムブロック図、図３は本発明の一実施形態に係る画像形成制御プログラムの要部のシステムブロック図、図４は本発明の一実施形態に係る画像形成装置におけるポート閉塞操作時の表示画面の説明図、図５は本発明の一実施形態に係る画像形成装置におけるポート閉塞時間設定時の表示画面の説明図、図６は本発明の一実施形態に係る画像形成装置におけるポート閉塞期間設定時の表示画面の説明図、図７は本発明の一実施形態に係る画像形成装置におけるポート閉塞日設定の表示画面の説明図、図８は本発明の一実施形態に係る画像形成装置におけるポート閉塞時間設定時の表示画面の説明図、図９は本発明の一実施形態に係る画像形成装置におけるポート閉塞設定時の表示画面の説明図、図１０は本発明の一実施形態に係る画像形成制御プログラムの制御ルーチンのフロー図である。
【００２３】
（画像形成システムの全体構成）
図１に示すように、本発明の一実施形態に係る画像形成制御プログラムは、画像形成装置としての複合機１と複数の（パーソナル）コンピュータ２とがサーバ３を介してイントラネットワーク等のネットワーク回線４に接続されている。尚、サーバ３は複合機１のホストＰＣとしての機能を備えているが、インターネットサーバやメールサーバ等の機能を兼用していても良く、図示を略するルータやターミナルアダプタ等を経由してインターネット回線５と接続することも可能である。
【００２４】
複合機１は、コピー機能・ＦＡＸ機能・プリンタ機能・スキャナ機能を具備している。また、複合機１は、例えば、図２に示すように、上記各機能を包括的に制御するための制御回路としてのＣＰＵ６がネットワークインターフェース７を介してネットワーク回線４と接続されている。
【００２５】
また、ＣＰＵ６は、各種記憶媒体としてのＲＯＭ８，ＲＯＭ９，フラッシュメモリ１０，ハードディスク（ＩＤＥ・ＳＣＳＩ等）１１と接続されており、上記各機能を制御するためのデータ（例えば、ＲＯＭ８）やネットワーク回線４を利用して送信されたデータやスキャナ機能を利用して読み取った画像データ（ＰＤＦ・ＪＰＧ等）等の格納（例えば、ハードディスク１１）等を可能としている。さらに、ＣＰＵ６は、液晶のパネルスイッチ等からなる表示画面１２、テンキー等のボタンスイッチ群からなる操作部１３、印刷制御回路１４を制御する。尚、表示画面１２は、後述する利用制限の設定のためのタイマ設定手段並びにポート開閉設定手段としての機能を備えている。
【００２６】
印刷制御回路１４には、図３に示すように、カレンダー機能を具備した計時用のタイマ１５と、ポート制御部１６とを備えている。
【００２７】
このポート制御部１６は、例えば、ネットワークインターフェース７に設定されたサーバ３の各種ポートとの開閉をＣＰＵ６を介して制御する。尚、ＣＰＵ６は、ハードディスク１１にインストールされた印刷制御用オペレーティングシステム（ＯＳ）によってネットワークプロトコル（ＴＣＰ／ＩＰやＵＤＰ／ＩＰ等）を管理することが可能となっており、そのネットワークプロトコルの下層に各ポートが設定されている。この際、各ポートは、ポート制御部１６によって開閉制御された状態に基づいてネットワークインターフェース７のＩＰフィルター１７によってサーバ３の各種ポートとの接続が管理される。
【００２８】
ＩＰフィルター１７に接続管理される各種ポートとしては、ＨＴＴＰ，ＳＭＴＰ，ＰＯＰ３，ＩＰＰ，ＲＡＷ，ＬＰＲ，ＦＴＰ，Ｓａｍｂａ，ＳＮＭＰ等がある。
【００２９】
ちなみに、ＴＣＰ（Ｔｒａｎｓｍｉｓｓｉｏｎ  Ｃｏｎｔｒｏｌ  Ｐｒｏｔｏｃｏｌ）はネットワークで利用される標準プロトコルである。ネットワーク層のＩＰと、セッション層以上のプロトコル（ＨＴＴＰ，ＳＭＴＰ，ＰＯＰ３，ＦＴＰ等）との橋渡しをする。
【００３０】
また、ＵＤＰ（Ｕｓｅｒ  Ｄａｔａｇｒａｍ  Ｐｒｏｔｏｃｏｌ）もネットワークで利用される標準プロトコルである。ＴＣＰと同様に、ネットワーク層のＩＰとセッション層以上のプロトコルとの橋渡しをする。インターネットでは、トランスポート層のプロトコルとしてＴＣＰの他にＵＤＰも使われており、ＵＤＰは転送速度は高いが信頼性が低く、ＴＣＰは信頼性は高いが転送速度が低いという特徴がある。
【００３１】
ＨＴＴＰ（ＨｙｐｅｒＴｅｘｔ  Ｔｒａｎｓｆｅｒ  Ｐｒｏｔｏｃｏｌ）は、Ｗｅｂサーバとクライアント（Ｗｅｂブラウザなど）がデータを送受信するのに使われるプロトコルである。ＨＴＭＬ文書や、このＨＴＭＬ文書に関連付けられている画像・音声・動画などのファイルを表現形式などの情報を含めてやり取りすることができる。
【００３２】
ＳＭＴＰ（Ｓｉｍｐｌｅ  Ｍａｉｌ  Ｔｒａｎｓｆｅｒ  Ｐｒｏｔｏｃｏｌ）はインターネットやイントラネットで電子メールを送信するためのプロトコルである。インターネットやイントラネット上のサーバ間でメールのやり取りをしたり、クライアントがサーバにメールを送信する際に用いられる。複合機１においては、スキャニングした画像データ等を直接インターネットメール配信する際などに利用することが可能となる。
【００３３】
ＰＯＰ３はインターネットやイントラネット上で、電子メールを保存しているサーバからメールを受信するためのプロトコルである。
【００３４】
ＩＰＰ（Ｉｎｔｅｒｎｅｔ  Ｐｒｉｎｔｉｎｇ  Ｐｒｏｔｏｃｏｌ）はインターネットなどのＴＣＰ／ＩＰネットワークを通じて印刷データの送受信や印刷機器の制御を行なうプロトコルである。
【００３５】
このＩＰＰの大きな特徴として、Ｗｅｂブラウザなどが使うＨＴＴＰプロトコルを用いてネットワーク上のプリンタに印刷を指示することができるようになっている。インターネットを通じて遠隔地のプリンタにデータを送って印刷することもでき、ＦＡＸの代わり（インターネットＦＡＸ）としても使用することができる。
【００３６】
ただし、見知らぬ第三者に勝手に使われないよう、ＩＰＰ対応機器やソフトウェアにはユーザ認証などの制限機構が組み込まれている。相手のプリンタ等の種類にもよるが、ＩＰＰで直接文書を送付する方がＦＡＸよりも安価で簡単であるうえ、高画質での画像形成処理が可能となる。
【００３７】
ＲＡＷ（Ｒｅａｄ  Ａｆｔｅｒ  Ｗｒｉｔｅ）は記憶媒体へ書き込みを行なった直後に書き込んだデータを読み込んで元のデータと比較し、記録したデータが正しいかチェックする機能である。元のデータと読み込んだデータとが一致していない場合は書き込みに失敗したとみなして書き込みをやり直すようになっている。
【００３８】
ＬＰＲ（Ｌｉｎｅ  ＰＲｉｎｔｅｒ  ｄａｅｍｏｎ  ｐｒｏｔｏｃｏｌ）はＴＣＰ／ＩＰネットワークを経由して印刷を行なうプロトコルである。ＬＰＲプロトコルを使用して印刷を行なうためのコマンド名でもある。
【００３９】
ＬＰＲプロトコルはネットワーク上の他のコンピュータ（プリントサーバ）に接続した複合機１に印刷を行わせるためのプロトコルでもある。
【００４０】
ＳａｍｂａはＳＭＢを使ったサービスを提供するためのソフトウェアである。ネットワークを通じてパーソナルコンピュータ１にファイル共有やプリンタ共有などのサービスを提供することを可能にする。
【００４１】
ＳＮＭＰ（Ｓｉｍｐｌｅ  Ｎｅｔｗｏｒｋ  Ｍａｎａｇｅｍｅｎｔ  Ｐｒｏｔｏｃｏｌ）はＴＣＰ／ＩＰネットワークにおいて、ルータや端末（パーソナルコンピュータ１等）など、ネットワークに接続された通信機器をネットワーク経由で監視・制御するためのプロトコルである。
【００４２】
ＦＴＰ（Ｆｉｌｅ  Ｔｒａｎｓｆｅｒ  Ｐｒｏｔｏｃｏｌ）はインターネットやイントラネットなどのＴＣＰ／ＩＰネットワークでファイルを転送するときに使われるプロトコルである。
【００４３】
次に、これらの各種ポートの開閉設定操作並びに時間設定操作の手順を図４乃至図９を参照しつつ説明する。
【００４４】
尚、ここでは、複合機１の表示画面１２での設定操作手順を説明するが、サーバ３を利用して設定（例えば、プリンタドライバ設定に順ずる）しても良い。但し、サーバ３側のポートを閉塞してしまうと、例えば、インターネットメール配信用のＳＭＴＰを閉塞してしまうと、パーソナルコンピュータ１からのインターネットメール配信ができなくなるため、あくまでもポートの開閉は複合機１側のポートを開閉するのが望ましい。
【００４５】
先ず、複合機１の管理者（サーバ３の管理者）による管理者権限のもと、図４に示すように、表示画面１２に時間並びにポート設定画面を表示する。この際、表示画面１２には、指定物理ポートの利用状況表示部１８、設定時間表示部１９、設定時間変更ボタン２０、詳細設定表示部２１、決定ボタン２２、キャンセルボタン２３が表示されている。尚、図４では、利用者制限無しであるため、設定時間表示部１９にはその旨を示す『Ｎｏｎｅ』等が表示されている。
【００４６】
ここで、例えば、利用制限設定を行いたい場合、設定時間変更ボタン２０を押すと、図５に示すように、設定時間表示部１９に重畳して時間選択ボタン１９ａが表示される。
【００４７】
例えば、ここで就業時間に所謂サマータイム等の有無により月単位で利用制限設定を行いたい場合、時間選択ボタン１９ａの『Ｍｏｎｔｈｌｙ』を押すことにより、図６に示す月別設定画面が表示画面１２に表示される。同様に、休日（休業日）等の週単位での利用制限設定を行いたい場合、時間選択ボタン１９ａの『Ｗｅｅｋｌｙ』を押すことにより、図７に示す週別設定画面が表示画面１２に表示される。さらに、１日（２４時間）単位での利用制限設定を行いたい場合、時間選択ボタン１９ａの『Ｄａｉｌｙ』を押すことにより、図８に示す週別設定画面が表示画面１２に表示される。
【００４８】
月単位での利用制限設定では、図６に示すように、詳細設定表示部２１に、ポート閉塞開始時間表示部２１ａ、ポート閉塞開始時間変更ボタン２１ｂ、ポート閉塞終了時間表示部２１ｃ、ポート閉塞終了時間変更ボタン２１ｄ、月別選択ボタン表示部２１ｅが表示される。この月別選択ボタン表示部２１ｅでは、ポート閉塞開始時間表示部２１ａ〜ポート閉塞終了時間表示部２１ｃに表示された設定期間中でのポート閉塞を実行する月をパネルスイッチ機能を利用して押すことにより『レ』マークがＯＮ（選択）・ＯＦＦ（解除）識別用として表示される。
【００４９】
週単位での利用制限設定では、図７に示すように、詳細設定表示部２１に、ポート閉塞開始曜日表示部２１ｆ、ポート閉塞開始曜日変更ボタン２１ｇ、ポート閉塞開始時間表示部２１ｈ、ポート閉塞開始時間変更ボタン２１ｉ、ポート閉塞終了曜日表示部２１ｊ、ポート閉塞終了曜日変更ボタン２１ｋ、ポート閉塞終了時間表示部２１ｌ、ポート閉塞終了時間変更ボタン２１ｍが表示される。各ボタン２１ｇ，２１ｉ，２１ｋ，２１ｍを押すことにより、曜日並びに時間の変更が可能となっている。
【００５０】
１日単位での利用制限設定では、図８に示すように、詳細設定表示部２１に、ポート閉塞開始時間表示部２１ｎ、ポート閉塞開始時間変更ボタン２１ｏ、ポート閉塞終了時間表示部２１ｐ、ポート閉塞終了時間変更ボタン２１ｑが表示される。各ボタン２１ｏ，２１ｐを押すことにより、時間の変更が可能となっている。
【００５１】
そして、これらの利用時間（月・週・日単位）制限設定が終了し、決定ボタン２２を押すと、表示画面２１には、図９に示すポート設定画面が表示される。
【００５２】
このポート設定画面としての表示画面２１には、物理ポート設定部２４と、ソフトウエアポート設定部２５と、決定ボタン２１と、全てのポートを閉塞指定する全指定ボタン２６と、メーカー等で予め設定した初期設定（標準設定）に合わせる初期設定ボタン２７とが表示されている。
【００５３】
物理ポート設定部２４とソフトウエアポート設定部２５とは、各ポート毎にＯＮ（開放）又はＯＦＦ（閉塞）の表示がパネルスイッチ機能を利用して表示されており、このＯＮ又はＯＦＦを押すことにより各ポートの開閉を指定することができる。
【００５４】
次に、図１０のフロー図を参照しつつ、ＣＰＵ６での利用制限制御例を説明する。
【００５５】
（ステップＳ１）
ステップＳ１では、タイマ１５の計時により、上記月・週・日単位でのポート利用制限開始時間になったか否かが監視され、開始時間に達した場合にはステップＳ２へと移行し、開始時間に達していない場合には指定時間に達するまでこのステップＳ１を継続して監視する。
【００５６】
（ステップＳ２）
ステップＳ２では、利用制限開始時間に達したことから、ポート制御部１６によって閉塞指定されたポートを閉塞し、サーバ３を経由して送信された印刷指令信号等を閉塞ポートに応じてＩＰフィルター１７の接続を管理し、ステップＳ３へと移行する。
【００５７】
尚、ポートを実際に閉塞するのではなく、仮想的に閉塞し、サーバ３を経由して送信された印刷指令信号等タをハードディスク１１等に一時的に格納し、以下のステップＳ４以降にて画像形成処理を実行するように構成しても良い。
【００５８】
（ステップＳ３）
ステップＳ３では、タイマ１５の計時により、上記月・週・日単位でのポート利用制限終了時間に達したか否かが監視され、終了時間に達した場合にはステップＳ４へと移行し、終了時間に達していない場合には終了時間に達するまでこのステップＳ３を継続して監視する。
【００５９】
（ステップＳ４）
ステップＳ４では、ポート閉塞終了時間に達したため、閉塞指定されていたポートを開放してルーチンを終了する。
【００６０】
このように、本発明の複合機１並びにこの複合機１を利用したネットワークのシステムにあっては、時間単位で、複合機１の利用を制限することにより、深夜の残業時間帯等、人の監視が及ばない状況での私用印刷といった不正利用を防止することができるうえ、その利用をポート単位で細かく開閉指定することができる。
【００６１】
また、利用制限開始・終了時間を、月単位や週単位でも設定することができ、より細かい利用制限を実現することができる。尚、上記実施の形態では、ポートの閉塞開始・終了として説明したが、これとは逆に、ポートの開放開始・終了を指定しても良い。
【００６２】
ところで、上記実施の形態では、本発明の画像形成装置及び画像形成制御プログラムを複合機１に適用して説明したが、例えば、プリンタ専用機や複写専用機等の専用機に適用することができることは勿論である。
【図面の簡単な説明】
【００６３】
【図１】本発明の一実施形態に係る画像形成制御プログラムのシステム構成例の説明図である。
【図２】本発明の一実施形態に係る画像形成制御プログラムのシステムブロック図である。
【図３】本発明の一実施形態に係る画像形成制御プログラムの要部のシステムブロック図である。
【図４】本発明の一実施形態に係る画像形成装置におけるポート閉塞操作時の表示画面の説明図である。
【図５】本発明の一実施形態に係る画像形成装置におけるポート閉塞時間設定時の表示画面の説明図である。
【図６】本発明の一実施形態に係る画像形成装置におけるポート閉塞期間設定時の表示画面の説明図である。
【図７】本発明の一実施形態に係る画像形成装置におけるポート閉塞日設定の表示画面の説明図である。
【図８】本発明の一実施形態に係る画像形成装置におけるポート閉塞時間設定時の表示画面の説明図である。
【図９】本発明の一実施形態に係る画像形成装置におけるポート閉塞設定時の表示画面の説明図である。
【図１０】本発明の一実施形態に係る画像形成制御プログラムの制御ルーチンのフロー図である。
【符号の説明】
【００６４】
２…複合機（画像形成装置）
３…サーバ
６…ＣＰＵ
７…ネットワークインターフェース
１２…表示画面（タイマ設定手段・ポート設定手段）
１５…タイマ（タイマ手段）
１６…ポート制御部（ポート制御手段）
１７…ＩＰフィルター
【図１】
2008131543.tif 000003
【図２】
2008131543.tif 000004
【図３】
2008131543.tif 000005
【図４】
2008131543.tif 000006
【図５】
2008131543.tif 000007
【図６】
2008131543.tif 000008
【図７】
2008131543.tif 000009
【図８】
2008131543.tif 000010
【図９】
2008131543.tif 000011
【図１０】
2008131543.tif 000012